(57)【特許請求の範囲】
【請求項１】
ミストを発生させるミスト発生装置であって、
ミスト排出口が形成されたケース本体と、
該ケース本体内に設けられ、外部から供給された水を収容する水収容部と、
該水収容部内に設けられ、該水収容部内に収容された水を加熱する水加熱ヒータと、
上部が開口している前記水収容部に設けられ、下面が開口する断面略コの字形状をしたコの字プレートと、
該コの字プレートの内側面に２個づつ対面させて複数個備えられた噴射ノズル部と、
前記水収容部内の前記水加熱ヒータにより加熱された水を噴射ノズル流路を介し前記噴射ノズル部に送る噴射ポンプと、
前記コの字プレートの側面空洞側から前記コの字プレート内に空気を送り込む前記ケース本体に形成されたエアー流出口と、
該エアー流出口に空気を送る送風器と、
該エアー流出口に送られる空気を加熱するエアー加熱ヒータと、
を有し、
前記噴射ノズル部は、
前記噴射ポンプにより送られてきた水を噴射する噴射孔が複数個形成され、前記噴射ノズル部の他の部分と着脱自在に設けられた噴射プレート、を有し、
相対抗する前記噴射ノズル部から噴射された水を衝突させてミストを生成させ、前記送風器により前記エアー流出口を介し前記コの字プレート内に空気を送ることにより、ミストが前記ケース本体上部に送り込まれ、該ケース本体の前記ミスト排出口から外部に排出させるミスト発生装置。
【請求項２】
前記噴射ノズル部は、
前記噴射プレートを取り付ける前記噴射プレート枠を、有し
前記噴射プレート枠は、前記コの字プレートに取り付けられた噴射プレート枠取付体と螺合により着脱可能に装着されていることを特徴とする請求項１記載のミスト発生装置。
【請求項３】
前記噴射プレートは、最大径が０．２ｍｍ以下の前記噴射孔が少なくとも５個以上形成されていることを特徴とする請求項１または請求項２記載のミスト発生装置。
【請求項４】
前記噴射プレートは、噴射される水の進行方向側に湾曲した形状であることを特徴とする請求項１〜請求項３のいずれか１項に記載のミスト発生装置。
【請求項５】
個室型浴室内にミストを供給することを特徴とする請求項１〜請求項４のいずれか１項に記載のミスト発生装置。
【発明の詳細な説明】
【技術分野】
【０００１】
本発明は、ミストを発生させるミスト発生装置に関する。
【背景技術】
【０００２】
従来より、ミストを発生させるミスト発生装置が知られている。この種のミスト発生装置１０１として、円筒形の内側スペースを有する容器本体１０２の一端側が壁体１０２ｂで閉口され、他端側がその中央部に円筒形の内側スペースの内径より小さな径の開口１０５を有する壁体１０２ｃで覆われてなる容器本体１０２と、一端側の壁体１０２ｂに円錐形に内側へ向けて突設された壁体１０２ｂ’の先部に開設された気体導入孔１０３と、容器本体１０２の円筒部１０２ａの内壁面の一部に円周の接線方向に開設された加圧液体導入口１０４とからなる旋回式微細気泡発生装置の他端側の壁体１０２ｃの中央部の開口１０５に、一端部と他端部に開口部を有する壁体を備えた液体を貯留した別容器１００の一端部を結合してなり、その別容器の壁体の他端部の開口部が多数個の透孔１２２であり、多数個の透孔から微細気泡を含む気液混合液（ＭＢ）を導出するようにしたものがあった（たとえば、特許文献１）。
【先行技術文献】
【特許文献】
【０００３】
【特許文献１】特開２０１１−１６７６７５号公報
【発明の概要】
【発明が解決しようとする課題】
【０００４】
しかしながら従来のミスト発生装置では、別容器（１００）の壁体の他端部に多数個の透孔（１２２）が形成され、その多数個の透孔から微細気泡を含む気液混合液（ＭＢ）を噴出するものであるが、この別容器（１００）に形成されている多数個の透孔（１２２）に目詰まりが生じると掃除することができず、ミスト発生装置自体を交換せざるを得なかった。また、従来のミスト発生装置では、粒径が１０〜６０μｍのミストを発生させることができるが、ミストの粒径が少し大きいので、衣類などに接触すると、すぐに衣類がベタベタになってしまうという問題があった。
【０００５】
本発明は上記問題点に鑑みてなされたもので、噴射孔に目詰まりが生じたときでも容易に洗浄または交換を行うことができるとともに、微細なミストを発生させることができるミスト発生装置を提供することを目的とする。
【課題を解決するための手段】
【０００６】
上記課題を解決し上記目的を達成するために、本発明のうち第１の態様に係るものは、ミストを発生させるミスト発生装置であって、ミスト排出口が形成されたケース本体と、ケース本体内に設けられ、外部から供給された水を収容する水収容部と、水収容部内に設けられ、水収容部内に収容された水を加熱する水加熱ヒータと、上部が開口している水収容部に設けられ、下面が開口する断面略コの字形状をしたコの字プレートと、コの字プレートの内側面に２個づつ対面させて複数個備えられた噴射ノズル部と、水収容部内の水加熱ヒータにより加熱された水を噴射ノズル流路を介し噴射ノズル部に送る噴射ポンプと、コの字プレートの側面空洞側からコの字プレート内に空気を送り込むケース本体に形成されたエアー流出口と、エアー流出口に空気を送る送風器と、エアー流出口に送られる空気を加熱するエアー加熱ヒータと、を有し、噴射ノズル部は、噴射ポンプにより送られてきた水を噴射する噴射孔が複数個形成され、噴射ノズル部の他の部分と着脱自在に設けられた噴射プレート、を有し、相対抗する噴射ノズル部から噴射された水を衝突させてミストを生成させ、送風器によりエアー流出口を介しコの字プレート内に空気を送ることにより、ミストがケース本体上部に送り込まれ、ケース本体のミスト排出口から外部に排出させるものである。
【０００７】
本発明によれば、相対抗する噴射ノズル部から噴射された水を衝突させてミストを生成させ、送風器によりエアー流出口を介し送られてきた空気をコの字プレートの側面空洞側からコの字プレート内に送ることにより、ミストがケース本体上部に送り込まれ、ケース本体のミスト排出口から外部に排出させるので、粒子径が大きいミストはコの字プレートに付着してその下部の水収容部に落下し、粒子径が小さいミストのみがコの字プレートの側面からケース本体上部に送り込まれ、ケース本体のミスト排出口から外部に排出させることができる。また、噴射孔が複数個形成された噴射プレートを着脱自在に装着させているので、噴射孔に目詰まりが生じたときでも噴射孔が複数個形成された噴射プレートを取り外し、噴射プレートの複数個形成された噴射孔を一度に洗浄または交換することができる。これにより、噴射孔に目詰まりが生じたときでもミスト発生装置全体を交換することなく、噴射孔に目詰まりが生じている可能性がある噴射プレートのみを容易に洗浄または交換することができる。
【０００８】
本発明のうち第２の態様に係るものは、第１の態様に係るミスト発生装置であって、噴射ノズル部は、噴射プレートを取り付ける噴射プレート枠を、有し、噴射プレート枠は、コの字プレートに取り付けられた噴射プレート枠取付体と螺合により着脱可能に装着されていることを特徴とするものである。
【０００９】
本発明によれば、噴射プレートを取り付ける噴射プレート枠が螺合により着脱可能に装着されているので、噴射プレート枠を回転させることにより容易に噴射プレートを取り外すことができる。これにより、噴射孔に目詰まりが生じたときでも、噴射孔に目詰まりが生じている可能性がある噴射プレートを容易に洗浄または交換することができる。
【００１０】
本発明のうち第３の態様に係るものは、第１または第２の態様に係るミスト発生装置であって、噴射プレートは、最大径が０．２ｍｍ以下の噴射孔が少なくとも５個以上形成されていることを特徴とするものである。
【００１１】
本発明によれば、噴射プレートの最大径が０．２ｍｍ以下である噴射孔から噴射された水を対面の噴射ノズル部から噴射された水と衝突させてミストを発生させるので、微細なミストを発生させることができる。また、対面する複数の噴射ノズル部の噴射プレートには噴射孔が少なくとも５個以上形成されているので、微細径の噴射孔から多くの水流を噴射させて衝突させることができ、大量のミストを効率よく発生させることができる。
【００１２】
本発明のうち第４の態様に係るものは、第１〜第３のいずれかの態様に係るミスト発生装置であって、噴射プレートは、噴射される水の進行方向側に湾曲した形状であることを特徴とするものである。
【００１３】
本発明によれば、噴射される水の進行方向側に湾曲した形状の噴射プレートを用いているので、噴射プレートから放射状に噴射された水を対面する同形状の噴射プレートから噴射される水に衝突させることにより、より効率よくミストを発生させることができる。
【００１４】
本発明のうち第５の態様に係るものは、第１〜第４のいずれかの態様に係るミスト発生装置であって、個室型浴室内にミストを供給するものである。
【００１５】
石鹸を用いて身体を洗浄しても毛穴に溜まった汚れを効果的に取ることができず、発汗させて身体内部から汗により毛穴に溜まった汚れを取る方が、毛穴に溜まった汚れを効果的に取ることができる。本発明によれば、ミスト発生装置により発生した粒子径が小さい微細なミストを個室型浴室内に供給するので、浴室使用者に発汗させて身体を効果的に洗浄することができる。具体的には、ミスト発生装置により発生したミストは粒子径が小さい微細なミストであることから、浴槽使用者が衣類を着用したまま個室型浴室を使用してもミストが衣類を通過することになるので、衣類があまり湿ることがなく浴室使用者に発汗させて身体を効果的に洗浄することができる。これにより、簡易な個室型浴室をベットの横に設置させることにより、身体が不自由な身体障害者などであっても衣類を着用したまま個室型浴室で身体の洗浄を容易に行うことができる。
【発明の効果】
【００１６】
本発明のミスト発生装置によれば、噴射孔に目詰まりが生じたときでも容易に洗浄または交換を行うことができ、微細なミストを発生させることができる。
【図面の簡単な説明】
【００１７】
【図１】（ａ）本発明の一実施形態におけるミスト発生装置の右前方外観斜視図である。            （ｂ）同ミスト発生装置の左前方外観斜視図である。
【図２】（ａ）同ミスト発生装置の上面図である。            （ｂ）同ミスト発生装置の右側面図である。
【図３】同ミスト発生装置の本体ケースの右側板を取り外した状態を示す図である。
【図４】図２（ａ）のＡ−Ａ断面図である。
【図５】図２（ｂ）のＢ−Ｂ断面図である。
【図６】（ａ）本発明の一実施形態におけるミスト発生装置の密閉蓋を上部に移動させた状態を示す右前方外環斜視図である。            （ｂ）同ミスト発生装置の密閉蓋を上部に移動させた状態を示す上面図である。
【図７】（ａ）同ミスト発生装置の密閉蓋およびコの字プレートを上部に移動させた状態を示す右前方外環斜視図である。            （ｂ）同ミスト発生装置の密閉蓋およびコの字プレートを上部に移動を上部に移動させた状態を示す上面図である。
【図８】（ａ）同ミスト発生装置の噴射ノズル部が装着されたコの字プレートの下方斜視図である。            （ｂ）同ミスト発生装置のコの字プレートに噴射ノズル部を取り付ける方法を示す図である。            （ｃ）同ミスト発生装置のコの字プレートの噴射ノズル部部分の断面図である。            （ｄ）同ミスト発生装置の噴射ノズル部の上面図である。
【図９】本発明の一実施形態におけるミスト発生装置のリモコン操作盤を示す図である。
【図１０】同ミスト発生装置を個室型浴室に使用した状態を示す図である。
【図１１】従来のミスト発生装置である。
【発明を実施するための形態】
【００１８】
以下、本発明にかかるミスト発生装置の一実施形態について図面を参照にしながら説明する。ここで、図１（ａ）は本発明の一実施形態におけるミスト発生装置の右前方外観斜視図であり、図１（ｂ）は同ミスト発生装置の左前方外観斜視図であり、図２（ａ）は同ミスト発生装置の上面図であり、図２（ｂ）は同ミスト発生装置の右側面図である。
【００１９】
ミスト発生装置１は四角形状のケース本体２を外枠としている。このケース本体２の上部にはミスト排出口３が形成された密閉蓋４が設けられ、右側面にはエアー流入口５が形成されるとともに、エアー換気口６およびエアー換気ファン７が設けられている。そして、このエアー流入口５からミスト発生装置１内に空気が流入する。また、ケース本体２の前面上部にはリモコン操作盤８が設けれ、そのリモコン操作盤８の下部には給水タンク９の水をミスト発生装置１内にを供給する給水パイプ１０、および温度を測定する温度センサ１１がそれぞれ設けられている。ケース本体２の左側面には浄水器１２が設けられている。さらに、ケース本体２の後面には、後述する水収容部１３内の水を排出する水収容部水排出コック３２ａと、後述するエアー流路３５内の水を排出するエアー供給路水排出コック３２ｂが設けられているともに、エアー換気ファン１６および電源コード１７が設けられている。
【００２０】
次に、ミスト発生装置１に備えられた各機器について図３〜図５を参照しながら説明する。ここで、図３は同ミスト発生装置の本体ケースの右側板を取り外した状態を示す図であり、図４は図２（ａ）のＡ−Ａ断面図であり、図５は図２（ｂ）のＢ−Ｂ断面図である。なお、図４および図５においては、説明の便宜上、一部の機器を省略して図示している。
【００２１】
図３〜図５に示すように、ミスト発生装置１には、水収容部１３と、給水ポンプ１８と、水加熱ヒータ１９と、上限水位センサ２０と、下限水位センサ２１と、コの字プレート２２と、噴射ノズル部２３と、噴射ポンプ２４と、送風器２５と、エアー加熱ヒータ２６、２７と、浄水器１２と、エアー換気ファン７、１６、電子基板２８とを有している。
【００２２】
水収容部１３は、外部から供給された水を収容するもので、上部が開口する容器形状している。具体的には、外部に備えられた給水タンク９に収容されている水を給水ポンプ１８の駆動力により、給水パイプ１０を介し、水収容部１３の後部側壁から水収容部１３内に収容される。水収容部１３の前部側面には、ケース本体２内に空気を送り込むエアー流出口２９（図４参照）が設けられている。このエアー流出口２９には、送風器２５の駆動力により、ケース本体２の右側面のエアー流入口５からケース本体２に流入した空気がエアー流路３５を介し送られ、そして、ケース本体２のエアー流出口２９から出た空気は、コの字プレート２２の前側面空洞側からコの字プレート２２内に送り込まれる。水収容部１３の後部底面には、水収容部水排出口３０が形成されている。この水収容部水排出口３０には、分岐部６０を介して、噴射水パイプ３１および水収容部水排出パイプ１４が接続されている。このように、水収容部１３内の水を排出するときは、水収容部水排出コック３２ａを回転させることにより、水収容部１３内の水が水収容部水排出口３０から水収容部水排出パイプ１４を介し排出される。なお、噴射水パイプ３１については後述する。
【００２３】
水加熱ヒータ１９は、水収容部１３内に収容された水を加熱するヒータである。この水加熱ヒータ１９は、出力が３００Ｗのヒータで、水収容部１３の後面下部に備えられている。ここで、水加熱ヒータ１９は、水加熱ヒータ１９という名称であるが、水を加熱すれば温水になり、その温水になった後においても加熱するものである。この水加熱ヒータ１９の制御は、ケース本体２の内側右側面側に設けられた電子基板２８（制御装置）により行われる。ここで、電子基板２８は、本体ケース２の右側板を取り外すことにより、また本体ケース２の右側板の下部側板を取り外すことにより、外部から見ることができる（図３参照）。
【００２４】
上限水位センサ２０は、水収容部１３内の水が上限水位以上になったことを検知するセンサである。この上限水位センサ２０により水収容部１３内の水が上限水位以上になったことが検知されると、給水タンク９から水収容部１３への水の供給が停止される。
【００２５】
下限水位センサ２１は、水収容部１３内の水が下限水位以下になったことを検知するセンサである。後述するＯＮ／ＯＦＦスイッチ４１がオンの状態で下限水位センサ２１により水収容部１３内の水が下限水位以下になったことが検知されると、後述するエンプティ表示部４８が点灯し、水収容部１３内の水が足りないことが警告される。
【００２６】
コの字プレート２２は、水収容部１３内に設けられ、横断面形状が水収容部１３より少し小さく、下面が開口する断面略コの字形状をしている。コの字プレート２２は、水収容部１３内に載置した状態では水収容器１３の長手方向の前方側から後方側に少し低くなるように傾斜させている。また、コの字プレート２２の長手方向の内側面には、それぞれ２個づつ対面させた噴射ノズル部２３が略等間隔で複数個備えられている（図６、図７参照）。そして、水収容部１３内の水は、噴射ポンプ２４の駆動力により、水収容部水排出口３０から噴射水パイプ３１（噴射ノズル流路３４の一部）を介し、コの字プレート２２の長手方向の後端部中央下部からコの字プレート２２の側面の噴射ノズル流路３４を通って噴射ノズル部２３に送られる。ここで、噴射ポンプ２４は、水収容部１３内の水加熱ヒータ１９により加熱された水を噴射ノズル流路３４を介し噴射ノズル部２３に送るポンプである。この噴射ポンプ２４により、水収容部１３内の水が噴射水パイプ３１を介し噴射ノズル部２３に送られ、噴射ノズル部２３から噴射される。
【００２７】
送風器２５は、本実施形態ではケース本体２の右側面に形成されたエアー流入口５のケース本体２側に設けられた送風ファンを用いている。この送風器２５により、ケース本体２の右側面に形成されたエアー流入口５からエアー流路３５を介し水収容部１３の前側面のエアー流出口２９に空気が送られる。本実施形態では、送風器２５としてシロッコファンを用いているが、これに限られず、送風ファン以外の送風器であってもよい。
【００２８】
エアー加熱ヒータ２６、２７は、ケース本体２の右側面に形成されたエアー流入口５と水収容部１３の前部側面のエアー流出口２９の間のエアー流路３５に設けられ、エアー流出口２９に送られる空気を加熱するヒータである。具体的には、水収容部１３下部から側面に延びるエアー流路３５にエアー加熱ヒータ２６、２７が上下に２つ設けられている。この上部のエアー加熱ヒータ２７は出力が３００Ｗのヒータであり、下部のエアー加熱ヒータ２６は出力が６００Ｗのヒータを用いている。
【００２９】
浄水器１２は、水収容部１３の後部底面の水収容部水排出口３０と噴射ポンプ２４の間の噴射水パイプ３１に接続され、水収容部１３内の水を噴射ノズル部２３に送る際に、その水を洗浄するものである。これにより、水収容部１３に不純物が混入されていた場合でも噴射ノズル部２３からは不純物が混入しない水を噴射させることができる。
【００３０】
エアー換気ファン１６は、ケース本体２内を冷却させるためにケース本体２内に空気を吸気するものである。ケース本体２内は水加熱ヒータ１９やエアー加熱ヒータ２６、２７などにより温度が上昇するが、エアー換気ファン１６のよりケース本体２の温度が高くならないようにすることができる。また、エアー換気ファン７は、ケース本体２内の電子基板２８を冷却させるものである。
【００３１】
次に、噴射ノズル部２３が装着されたコの字プレート２２について具体的に説明する。ここで、図６（ａ）本発明の一実施形態におけるミスト発生装置の密閉蓋を上部に移動させた状態を示す右前方外環斜視図であり、図６（ｂ）は同ミスト発生装置の密閉蓋を上部に移動させた状態を示す上面図であり、図７（ａ）は同ミスト発生装置の密閉蓋およびコの字プレートを上部に移動させた状態を示す右前方外環斜視図であり、図７（ｂ）は同ミスト発生装置の密閉蓋およびコの字プレートを上部に移動を上部に移動させた状態を示す上面図であり、図８（ａ）は同ミスト発生装置の噴射ノズル部が装着されたコの字プレートの下方斜視図であり、図８（ｂ）は同ミスト発生装置のコの字プレートに噴射ノズル部を取り付ける方法を示す図であり、図８（ｃ）は同ミスト発生装置のコの字プレートの噴射ノズル部部分の断面図であり、図８（ｄ）は同ミスト発生装置の噴射ノズル部の上面図である。
【００３２】
図６、図７に示すように、コの字プレート２２は、上述したように、水収容部１３内に設けられ、横断面形状が水収容部１３より少し小さく、下面が開口する断面略コの字形状をしている。また、コの字プレート２２の後方側には、コの字プレート回転軸棒３３が設けられ、このコの字プレート回転軸棒３３によりケース本体２とコの字プレート２２が結合している。そして、コの字プレート２２は、コの字プレート回転軸棒３３を回転軸として、先端部から上部に回転移動させることができる。
【００３３】
図８に示すように、コの字プレート２２は、上述したように、前方側側面と後方側側面が空洞で、下面が開口する断面略コの字形状をしている。コの字プレート２２の長手方向の内側面には、それぞれ２個づつ対面させた噴射ノズル部２３が８個（４個×２）備えられている。そして、コの字プレート２２の後方中央部で噴射水パイプ３１（噴射ノズル流路３４の一部）と接続され、コの字プレート２２長手方向の外側面の噴射ノズル流路３４から噴射ノズル部２３に水が送られる。この噴射ノズル部２３と噴射ノズル流路３４とは、噴射ノズル部２３をコの字プレート２２の噴射プレート取付孔３６に取り付けることにより連通するようになっている（図８（ｃ）参照）。
【００３４】
噴射ノズル部２３は、噴射プレート３７と、噴射プレート枠３８とを有している。噴射プレート３７は、噴射される水の進行方向側に湾曲した形状で、最大径が０．１５ｍｍの噴射孔３９が１６個有している。そして、この噴射プレート３７の噴射孔３９から噴射ポンプ２４によって噴射水パイプ３１を介し送られてきた水が噴射される。なお、本実施形態では、最大径が０．１５ｍｍの噴射孔３９が１６個有している噴射プレートを用いたが、これに限らず、最大径が０．２ｍｍ以下（好ましくは、０．１５ｍｍ以下）の噴射孔３９が少なくとも５個以上形成されている噴射プレート３７であってもよい。ここで、噴射プレート３７の噴射される水の進行方向側に湾曲した形状とは、噴射プレート３７の中心から円周側に向かって放射線状に均等に湾曲している形状のことをいうが、これに限るものではない。
【００３５】
このように、噴射プレート３７の最大径が０．２ｍｍ以下である噴射孔３９から噴射された水を対面の噴射ノズル部２３から噴射された水と衝突させてミストを発生させるので、微細なミストを発生させることができる。また、対面する複数の噴射ノズル部２３の噴射プレート３７には噴射孔３９が少なくとも５個以上形成されているので、微細径の噴射孔３９から多くの水流を噴射させて衝突させることができ、大量のミストを効率よく発生させることができる。また、噴射される水の進行方向側に湾曲した形状の噴射プレート３７を用いているので、噴射プレート３７から放射状に噴射された水を対面する同形状の噴射プレート３７から噴射される水に衝突させることにより、より効率よくミストを発生させることができる。
【００３６】
噴射プレート枠３８は、噴射プレート３７を固定して取り付けるためのものである。具体的には、噴射プレート枠３８の内面に噴射プレート３７を挿入させ、この状態で、コの字プレート２２の噴射プレート取付孔３６に取り付けられた噴射プレート枠取付体４０の外周面の螺子山と噴射プレート枠３８の内周面の螺子山とを螺合させることにより、噴射プレート３７が噴射プレート枠３８に固定して取り付けられる。
【００３７】
このように、噴射プレート３７を取り付ける噴射プレート枠３８が螺合により着脱可能に装着されているので、噴射プレート枠３８を回転させることにより容易に噴射プレート３７を取り外すことができる。これにより、噴射孔３９に目詰まりが生じたときでも、噴射孔３９に目詰まりが生じている可能性がある噴射プレート３７を容易に洗浄または交換することができる。
【００３８】
次に、ミスト発生装置１のリモコン操作盤８について説明する。ここで、図９は本発明の一実施形態におけるミスト発生装置のリモコン操作盤を示す図である。
【００３９】
リモコン操作盤８は、ＯＮ／ＯＦＦスイッチ４１、ミスト発生スイッチ４２、設定温度表示部４３、温度上昇スイッチ４４、温度下降スイッチ４５、リセットスイッチ４６、温度表示部４７、エンプティ表示部４８を有している。
【００４０】
ＯＮ／ＯＦＦスイッチ４１は、ミスト発生装置１の電源スイッチであり、ＯＮ／ＯＦＦスイッチ４１が押圧されることにより電源がオンになり、電源オンの状態でＯＮ／ＯＦＦスイッチ４１が押圧されることにより電源がオフになる。ミスト発生スイッチ４２は、ミストを発生させるためのスイッチであり、ミスト発生スイッチ４２が押圧されることにより、水収容部１３内に水が給水され、水収容部１３への給水が完了した後に水加熱ヒータ１９がＯＮになり、噴射ノズル部２３から水が噴射され、エアー流出口２９から水収容部１３内に空気が送られる。設定温度表示部４３は、たとえば個室型浴室４９内の設定温度を表示させるもので、３８度、４０度、４２度、４５度のいずれかの温度が設定されると、その上部のランプが点灯する。温度上昇スイッチ４４は、設定温度を上昇させるためのスイッチであり、温度上昇スイッチ４４が押圧されることにより設定温度表示部４３の３８度、４０度、４２度、４５度の設定温度が一つ上昇し、一つ上昇した設定温度の上部のランプが点灯する。温度下降スイッチ４５は、設定温度を下降させるためのスイッチであり、温度下降スイッチ４５が押圧されることにより設定温度表示部４３の３８度、４０度、４２度、４５度の設定温度が一つ下降し、一つ下降した設定温度の上部のランプが点灯する。温度表示部４７は、たとえば個室型浴室４９内の温度を表示させるもので、具体的には、温度センサ１１により検知された温度を表示させるものである。エンプティ表示部４８は、ミスト発生スイッチ４２を押圧した段階で、水収容部１３内の水が下限水位以下であると下限水位センサ２１により検知されたときに点灯するスイッチである。リセットスイッチ４６は、ミスト発生装置１を初期状態にリセットするスイッチであり、このリセットスイッチ４６は、ミスト発生装置１に異常が生じたとき等に押圧される。リセットスイッチ４６が押圧されることにより、噴射ノズル部２３から水が噴射され、エアー流出口２９から水収容部１３内に空気が送られている状態であっても水の噴射および空気の送出が停止し、また、設定温度表示部４３に表示されている設定温度も初期設定温度である３８度が点灯することになる。
【００４１】
本実施形態におけるミスト発生装置１を用いることにより、相対抗する噴射ノズル部２３から噴射された水を衝突させてミストを生成させ、送風器２５によりエアー流出口２９を介し送られてきた空気をコの字プレート２２の側面空洞側からコの字プレート２２内に送ることにより、ミストがケース本体２上部に送り込まれ、ケース本体２のミスト排出口３から外部に排出させるので、粒子径が大きいミストはコの字プレート２２に付着してその下部の水収容部２９に落下し、粒子径が小さいミストのみがコの字プレート２２の側面からケース本体２上部に送り込まれ、ケース本体２のミスト排出口３から外部に排出させることができる。また、噴射孔３９が複数個形成された噴射プレート３７を着脱自在に装着させているので、噴射孔３９に目詰まりが生じたときでも噴射孔３９が複数個形成された噴射プレート３７を取り外し、噴射プレート３７の複数個形成された噴射孔３９を一度に洗浄または交換することができる。これにより、噴射孔３９に目詰まりが生じたときでもミスト発生装置１全体を交換することなく、噴射孔３９に目詰まりが生じている可能性がある噴射プレート３７のみを容易に洗浄または交換することができる。
【００４２】
次に、ミスト発生装置１を個室型浴室４９に使用した実施形態について説明する。ここで、図１０は、同ミスト発生装置を個室型浴室に使用した状態を示す図である。
【００４３】
個室型浴室４９は、アルミニウムパイプを材質とする折り畳み可能な骨組フレーム５０で支持され、そのアルミニウムパイプの周りをビニール製の浴室カバー５１で覆っている。このように、本実施形態における個室型浴室４９は、軽量でコンパクトな構造であるので容易に持ち運びすることができる。また、浴室カバー５１は、カバー前面５２（浴室カバー５１の前面部）が上部と結合し、カバー前面５２を上下させることができる。このような構造であるので、浴室使用者５３は車椅子に乗りながら個室型浴室４９を使用することもできる。以下、ミスト発生装置１を個室型浴室４９に使用した場合の使用態様について、具体的に説明する。なお、本実施形態では、浴室使用者５３に付添人が付いて車椅子に乗りながら個室型浴室４９を使用する場合について説明するが、身体健全な浴室使用者５３が一人で使用することもできる。
【００４４】
ミスト発生装置１を個室型浴室４９に使用する準備として、ミスト発生装置１上部のミスト排出口３と個室型浴室４９の左側面上部に設けられたミスト流入孔５４とを浴室ミスト流入パイプ５５により結合するとともに、ミスト発生装置１右側面のエアー流入口５と個室型浴室４９の左側面下部に設けられたエアー流出孔５６とをエアー流出パイプ５７により結合する。これにより、個室型浴室４９内の空気をミスト発生装置１に送り込み、そして、ミスト発生装置１により発生したミストを個室型浴室４９に流入させることができる。また、温度センサ１１も個室型浴室４９内に入れる。これにより、個室型浴室４９内の温度を測定することができる。
【００４５】
浴室使用者５３が個室型浴室４９を使用する際には、浴室カバー５１のカバー前面５２を持ち上げてカバー前面５２を個室型浴室４９の上面に載せる（図１０（ａ）参照）。このようにすることにより、個室型浴室４９の前面が開口する。そして、浴室使用者５３は開口した個室型浴室４９の前面部から個室型浴室４９の中に入る。次に、個室型浴室４９の中に入った浴室使用者５３の肩上部の空間と肩下部の空間を分離させる仕切り板５８を個室型浴室４９のアルミニウムパイプの骨組フレーム５０に係止させて浴室使用者５３の肩の上部に載置し、浴室使用者５３の肩上部の空間と肩下部の空間を分離させる（図１０（ｂ）参照）。これにより、浴室使用者５３の仕切り板５８下部の空間のみにミストを循環させることができる。そして、仕切り板５８を使用者の肩の上に載置した後は、浴室カバー５１のカバー前面５２の両側部と下部を面ファスナーにより接合して、個室型浴室４９の仕切り板５８下部の空間を密閉させる（図１０（ｃ）参照）。
【００４６】
次に、ミスト発生装置１のリモコン操作盤８のＯＮ／ＯＦＦスイッチ４１を押圧してオンにし、ミスト発生装置１を作動可能状態にする。そして、ミスト発生装置１のリモコン操作盤８の温度上昇スイッチ４４、温度下降スイッチ４５を押圧することにより、温度表示部４７に点灯する温度センサ１１により検知される個室型浴室４９内の設定温度を設定する。
【００４７】
次に、ミスト発生装置１のリモコン操作盤８のミスト発生スイッチ４２を押圧する。これにより、給水ポンプ１８が駆動し、給水タンク９から給水パイプ１０を介し水収容部１３の後部側壁から水収容部１３内に給水される。そして、水収容部１３に収容されている水が、上限水位センサ２０により上限水位になったことが検知されると、水収容部１３への水の供給が停止され、水加熱ヒータ１９（３００Ｗ出力）がオンになるとともに、３００Ｗと６００Ｗの２つのエアー加熱ヒータ２６、２７がオンになり、エアー流出口２９から水収容部１３内に空気が送られ、噴射ノズル部２３から水が噴射される。これにより、ケース本体２上部のミスト排出口３からミストが放出される状態となる。なお、水加熱ヒータ１９およびエアー加熱ヒータ２６、２７がオンになった直後は個室型浴室４９の下部のミストが充満する空間の温度および噴射ノズル部２３から噴射される水の温度は低いが、水加熱ヒータ１９により噴射ノズル部２３から噴射される水を加熱するとともに、３００Ｗと６００Ｗの２つのエアー加熱ヒータ２６、２７により空気を加熱するので、短時間で噴射ノズル部２３から噴射される水の温度および水収容部１３に送られる空気の温度が高くなり、ケース本体２上部のミスト排出口３からミストが放出されることになる。
【００４８】
個室型浴室４９の下部のミストが充満する空間の温度が設定温度になったことを温度センサ１１により検知さると、６００Ｗのエアー加熱ヒータ２６がオフになり、３００Ｗのエアー加熱ヒータ２７のみで水収容部１３に送り出される空気が加熱される。このように、個室型浴室４９の下部のミストが充満する空間の温度が設定温度未満の場合は３００Ｗと６００Ｗの２つのエアー加熱ヒータ２６、２７で水収容部１３に送り出される空気が加熱され、個室型浴室４９の下部のミストが充満する空間の温度が設定温度以上の場合は３００Ｗのエアー加熱ヒータ２７で水収容部１３に送り出される空気が加熱される。また、個室型浴室４９の仕切り板５８上部の側面には浴室側面窓５９が設けられているので、個室型浴室４９を使用中でも、浴室側面窓５９を開けて顔部分に外気の涼しい空気を流すことができる。
【００４９】
そして、個室型浴室４９の使用終了後は、個室型浴室４９前面の面ファスナーを外し、浴室カバー５１のカバー前面５２を上げて個室型浴室４９の上面に載せ、仕切り板５８を外して、個室型浴室４９内部の浴室使用者５３を個室型浴室４９の外部に移動させる。
【００５０】
上記のように、ミスト発生装置１を個室型浴室４９に使用することにより、ミスト発生装置１により発生した粒子径が小さい微細なミストが個室型浴室４９内に供給されるので、浴室使用者５３に発汗させて身体を効果的に洗浄することができる。すなわち、ミスト発生装置１により発生したミストは粒子径が小さい微細なミストであることから、浴槽使用者が衣類を着用したまま個室型浴室４９を使用してもミストが衣類を通過することになるので、衣類があまり湿ることがなく浴室使用者５３に発汗させて身体を効果的に洗浄することができる。これにより、簡易な個室型浴室４９をベットの横に設置させることにより、身体が不自由な身体障害者などであっても衣類を着用したまま個室型浴室４９で身体の洗浄を容易に行うことができる。
【００５１】
なお、今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【００５２】
１    ミスト発生装置
２    ケース本体
３    ミスト排出口
４    密閉蓋
５    エアー流入口
６    エアー換気口
７    エアー換気ファン
８    リモコン操作盤
９    給水タンク
１０  給水パイプ
１１  温度センサ
１２  浄水器
１３  水収容部
１４  水収容部水排出パイプ
１５  エアー供給路水排出パイプ
１６  エアー換気ファン
１７  電源コード
１８  給水ポンプ
１９  水加熱ヒータ
２０  上限水位センサ
２１  下限水位センサ
２２  コの字プレート
２３  噴射ノズル部
２４  噴射ポンプ
２５  送風器
２６  エアー加熱ヒータ
２７  エアー加熱ヒータ
２８  電子基板
２９  エアー流出口
３０  水収容部水排出口
３１  噴射水パイプ
３２ａ  水収容部水排出コック
３２ｂ  エアー供給路水排出コック
３３  コの字プレート回転軸棒
３４  噴射ノズル流路
３５  エアー流路
３６  噴射プレート取付孔
３７  噴射プレート
３８  噴射プレート枠
３９  噴射孔
４０  噴射プレート枠取付体
４１  ＯＮ／ＯＦＦスイッチ
４２  ミスト発生スイッチ
４３  設定温度表示部
４４  温度上昇スイッチ
４５  温度下降スイッチ
４６  リセットスイッチ
４７  温度表示部
４８  エンプティ表示部
４９  個室型浴室
５０  骨組フレーム
５１  浴室カバー
５２  カバー前面
５３  浴室使用者
５４  ミスト流入孔
５５  浴室ミスト流入パイプ
５６  エアー流出孔
５７  エアー流出パイプ
５８  仕切り板
５９  浴室側面窓
６０  分岐部
【図１】
0006381438.tif 000002
【図２】
0006381438.tif 000003
【図３】
0006381438.tif 000004
【図４】
0006381438.tif 000005
【図５】
0006381438.tif 000006
【図６】
0006381438.tif 000007
【図７】
0006381438.tif 000008
【図８】
0006381438.tif 000009
【図９】
0006381438.tif 000010
【図１０】
0006381438.tif 000011
【図１１】
0006381438.tif 000012